(57)【特許請求の範囲】
【請求項１】
除菌ランプと、
内部に、除菌対象となる流体の流路を有し、前記除菌ランプを収納し、かつ端部に開口部を有する本体部と、
前記内部に配置され、前記除菌ランプが挿入される除菌ランプ保護管と、
前記内部に配置され、前記除菌ランプ保護管が挿入され、かつ前記除菌ランプ保護管とは異なる材質よりなる流出防止管とを備え、
前記流出防止管の前記本体部の中心軸線方向における長さは、前記除菌ランプ保護管の前記本体部の中心軸線方向における長さよりも長く、
前記流出防止管は、前記除菌ランプから照射される光に対して透明な材料により形成されている、除菌装置。
【請求項２】
前記端部に配置された蓋部材と、
前記流出防止管の内周面を保持する流出防止管固定蓋と、
前記流出防止管の外周面と前記蓋部材との間に配置され、前記流出防止管の外周面と前記蓋部材との間を水密に封止するシール部材とをさらに備える、請求項１に記載の除菌装置。
【請求項３】
前記流出防止管は、前記流路に前記流体が流れている際に、前記流出防止管の内周面が前記除菌ランプ保護管の外周面と接触する位置に配置されている、請求項１又は２に記載の除菌装置。
【請求項４】
前記端部に配置された蓋部材と、
前記除菌ランプ保護管の外周面と前記蓋部材との間に配置され、前記除菌ランプ保護管の外周面と前記蓋部材との間を水密に封止するシール部材とをさらに備える、請求項１に記載の除菌装置。
【請求項５】
前記蓋部材は、前記流出防止管の外周面を取り囲むように設けれられるリブを有する、請求項４に記載の除菌装置。
【請求項６】
前記流出防止管の内周面から外周面に向かう方向における厚さは、０．３ｍｍ以上である、請求項１〜５のいずれか１項に記載の除菌装置。
【請求項７】
循環経路と、
前記循環経路上に配置された、請求項１〜６のいずれか１項に記載の前記除菌装置とを備える、温水装置。
【発明の詳細な説明】
【技術分野】
【０００１】
本発明は、除菌装置及び温水装置に関する。
【背景技術】
【０００２】
流体の除菌を行う装置として、特開２０１４−１００６９０号公報（特許文献１）に記載の水除菌装置及び特許第３００１３５４号公報（特許文献２）に記載の殺菌装置が知られている。
【０００３】
特許文献１に記載の水除菌装置は、筒状の外筒ケースと、外筒ケースの内部に収納される紫外線放電灯と、外筒ケースの内部に配置され、紫外線放電灯が挿入される保護管とを有している。保護管の外周面と外筒ケースの内周面との間の空間は、除菌対象となる水の流路となっている。保護管は、石英ガラスにより形成されている。
【０００４】
特許文献２に記載の殺菌装置は、筒状容器と、筒状容器の内部に収納された紫外線ランプと、筒状容器の内部に配置され、紫外線ランプが挿入される保護管とを有している。保護管の外周面と筒状容器の内周面との間の空間は、除菌対象となる湯水の流路となっている。保護管は、石英ガラスにより形成されている。
【先行技術文献】
【特許文献】
【０００５】
【特許文献１】特開２０１４−１００６９０号公報
【特許文献２】特許第３００１３５４号公報
【発明の概要】
【発明が解決しようとする課題】
【０００６】
特許文献１に記載の水除菌装置及び特許文献２に記載の殺菌装置においては、保護管が流路を流れる除菌対象となる水等と直接接触している。そのため、特許文献１に記載の水除菌装置及び特許文献２に記載の殺菌装置においては、保護管が破損した場合に、保護管を構成する石英ガラスの破片等が、除菌対象となる水等に混入するおそれがある。
【０００７】
本発明は、このような従来技術の問題点に鑑みてなされたものである。具体的には、本発明は、除菌ランプ保護管が破損した場合、除菌ランプ保護管の破片等が、除菌対象となる流体へ混入してしまうことを抑制可能な除菌装置及び温水装置を提供するものである。
【課題を解決するための手段】
【０００８】
本発明の一態様に係る除菌装置は、除菌ランプと、本体部と、除菌ランプ保護管と、流出防止管とを備える。本体部は、内部に、除菌対象となる流体の流路を有している。本体部は、内部に、除菌ランプを収納している。本体部は、端部に、開口部を有している。除菌ランプ保護管は、本体部の内部に配置され、除菌ランプが挿入されている。流出防止管は、本体部の内部に配置され、除菌ランプ保護管が挿入され、かつ除菌ランプ保護管とは異なる材質である。
【０００９】
本発明の一態様に係る除菌装置によると、除菌ランプ保護管が破損した場合、除菌ランプ保護管の破片等が除菌対象となる流体へ混入してしまうことを抑制することができる。
【００１０】
上記の除菌装置は、蓋部材と、流出防止管固定蓋と、シール部材とをさらに備えていてもよい。蓋部材は、本体部の端部に配置される。流出防止管固定蓋は、流出防止管の内周面を保持する。シール部材は、流出防止管の外周面と蓋部材との間を水密に封止する。この場合、流出防止管の厚さが薄くても、流出防止管内部と流路との間の水密性を確保することができる。そのため、これにより、除菌ランプ保護管が破損した場合に、除菌ランプ保護管の破片等が、除菌対象となる流体へ混入してしまうことをさらに抑制することが可能となる。
【００１１】
上記の除菌装置において、流出防止管の本体部の中心軸線方向における長さは、除菌ランプ保護管の本体部の中心軸線方向における長さよりも長くてもよい。
【００１２】
上記の除菌装置において、流出防止管は、流路に流体が流れている際に、流出防止管の内周面が除菌ランプ保護管の外周面と接触する位置に配置されていてもよい。この場合、流路に流体が流れる際の圧力が、除菌ランプ保護管にも分散される。そのため、これにより、流出防止管に対する経年的な圧力変化による損傷を抑制することが可能となる。
【００１３】
上記の除菌装置は、本体部の端部に配置される蓋部材と、除菌ランプ保護管の外周面と蓋部材との間に配置され、除菌ランプ保護管の外周面と蓋部材との間を水密に封止するシール部材をさらに備えていてもよい。この場合、流出防止管は、流路を流れる除菌対象となる流体から水圧を受けることがない。そのため、これにより、除菌ランプ保護管が破損した場合に、除菌ランプ保護管の破片等が、除菌対象となる流体へ混入してしまうことを抑制しつつ、流出防止管の破損を抑制することが可能となる。
【００１４】
上記の除菌装置において、蓋部材は、リブとを有していてもよい。リブは、流出防止管の外周面を取り囲むように設けられている。この場合、流出防止管の、本体部の中心軸線に垂直な方向に対する動きが規制される。そのため、これにより、除菌ランプ保護管が破損した場合に、除菌ランプ保護管の破片等が、除菌対象となる流体へ混入してしまうことをさらに抑制することが可能となる。
【００１５】
上記の除菌装置において、流出防止管の厚さは、０．３ｍｍ以上０．５ｍｍ以下であってもよい。流出防止管の厚さは、流出防止管の内周面から外周面に向かう方向における厚さである。これにより、流体に対する除菌効果を維持しつつ、除菌ランプ保護管が破損した場合に、除菌ランプ保護管の破片等が、除菌対象となる流体へ混入してしまうことを抑制することが可能となる。
【００１６】
本発明の一態様に係る温水装置は、循環経路と、循環経路上に配置された上記の除菌装置とを備える。これにより、除菌ランプ保護管が破損した場合に、除菌ランプ保護管の破片等が、除菌対象となる流体へ混入してしまうことを抑制することが可能となる。
【発明の効果】
【００１７】
本発明の一態様に係る除菌装置及び温水装置によると、除菌ランプ保護管が破損した場合に、除菌ランプ保護管の破片等が、除菌対象となる流体へ混入してしまうことを抑制することが可能となる。
【図面の簡単な説明】
【００１８】
【図１】実施形態１に係る除菌装置の実施形態の斜視図である。
【図２】図１のＩＩ−ＩＩにおける断面図である。
【図３】実施形態１に係る除菌装置が流出防止管固定蓋を有しない場合において流路内に除菌対象となる流体が流れる際の流出防止管の変形態様を説明する模式図である。
【図４】実施形態１に係る除菌装置が流出防止管固定蓋を有する場合において流路内に除菌対象となる流体が流れる際の流出防止管の変形態様を説明する模式図である。
【図５】実施形態１に係る除菌装置において流路内に除菌対象となる流体が流れる際の流出防止管と除菌ランプ保護管との位置関係を説明する模式図である。
【図６】実施形態２に係る除菌装置の実施形態の斜視図である。
【図７】図６のＶＩＩ−ＶＩＩにおける断面図である。
【図８】実施形態３に係る温水装置の構成を示す模式図である。
【発明を実施するための形態】
【００１９】
（実施形態１）
以下に、実施形態１に係る除菌装置について、図１〜図５を参照して説明する。なお、各図中において同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００２０】
以下に、実施形態１に係る除菌装置の構成について説明する。図１に示すように、実施形態１に係る除菌装置は、本体部１と、除菌ランプ２と、蓋部材３とを有している。蓋部材３は、一対となる第１の蓋部材３ａと、第２の蓋部材３ｂとから構成されている。実施形態１に係る除菌装置は、固定部材４をさらに有していてもよい。
【００２１】
図２に示すように、実施形態１に係る除菌装置は、さらに除菌ランプ保護管１２と、流出防止管１３とを有している。
【００２２】
本体部１は、筒状の形状を有している。好ましくは、本体部１は、円筒状の形状を有している。すなわち、本体部１の中心軸線Ａ１に垂直な方向における断面は、円形形状であることが好ましい。本体部１には、例えばステンレス鋼等が用いられる。
【００２３】
本体部１は、内部に流路１１を有している。流路１１には、除菌対象となる流体（例えば、湯水）が流れる。後述する流出防止管１３の外周面と本体部１の内周面との間の空間が、流路１１となっている。すなわち、流路１１は、流出防止管１３の外周面と本体部１の内周面とにより画されている。
【００２４】
本体部１は、端部１ａを有している。端部１ａは、本体部１の中心軸線Ａ１に平行な方向の端に位置する部分である。端部１ａにおいて、本体部１は開口部１ｂを有している。本体部１は、両方の端部１ａにおいて開口部１ｂを有していることが好ましい。好ましくは、端部１ａは、本体部１の中心軸線Ａ１に平行な方向からみて、外周方向に広がっている形状を有している。これにより、蓋部材３を本体部１に挿入することが容易となる。
【００２５】
本体部１の内部には、除菌ランプ保護管１２が配置されている。除菌ランプ保護管１２は、流路１１を流れる除菌対象となる流体から、除菌ランプ２を保護するための部材である。除菌ランプ保護管１２は、好ましくは円筒形状を有している。除菌ランプ保護管１２は、本体部１より長さが長い。除菌ランプ保護管１２は、除菌ランプ２から照射される光に対して透明である。除菌ランプ保護管１２には、例えば石英ガラスが用いられる。
【００２６】
本体部１の内部には、流出防止管１３が設けられている。流出防止管１３は、除菌ランプ保護管１２が破損した際に、除菌ランプ保護管１２の破片等が流路１１を流れる除菌対象となる流体に混入することを抑制するための部材である。流出防止管１３には、除菌ランプ保護管１２が挿入される。
【００２７】
流出防止管１３は、好ましくは円筒形状を有している。流出防止管１３は、本体部１より長さが長い。流出防止管１３は、好ましくは除菌ランプ保護管１２より長さが長い。流出防止管１３は、除菌ランプ２から照射される光に対して透明である。流出防止管１３と除菌ランプ保護管１２とは、材質が異なっている。より具体的には、流出防止管１３に対する破損が生じにくいように、流出防止管１３は、除菌ランプ保護管１２よりも可撓性が高いことが好ましい。
【００２８】
流出防止管１３は、厚さＴを有している。流出防止管１３の厚さＴは、流出防止管１３の内周面から外周面に向かう方向における厚さである。流出防止管１３の厚さＴは、除菌ランプ２から照射される光に対する透過率が７０％以上となるような厚さであることが好ましい。この場合、除菌ランプ２から照射された光は、流出防止管１３を透過した後においても、除菌対象となる流体中の雑菌を効率的に殺菌しうる照度が維持される。
【００２９】
流出防止管１３の厚さＴが薄すぎると、流出防止管１３の剛性が低下する。そのため、流出防止管１３の厚さＴは、好ましくは０．３ｍｍ以上である。流出防止管１３の厚さＴは、さらに好ましくは０．４ｍｍ以上である。
【００３０】
流出防止管１３は、流路１１に除菌対象となる流体が流れる際に、流出防止管１３の内周面が除菌ランプ保護管１２の外周面と接触する位置に配置されることが好ましい。より具体的には、流出防止管１３は、流出防止管１３の内周面と除菌ランプ保護管１２の外周面との間隔Ｄが、０．０５ｍｍ以上０．３５ｍｍ以下となるように配置されることが好ましい。
【００３１】
流出防止管１３には、例えばＦＥＰ（四フッ化エチレン六フッ化プロピレン共重合体）等のフッ素樹脂が用いられる。但し、流出防止管１３に用いられる材料は、ＦＥＰ等のフッ素樹脂に限られるものではない。流出防止管１３に用いられる材料は、除菌ランプ２から照射される光に対する透過性及び除菌ランプ２から照射される光に対する安定性を有する材料であればよい。
【００３２】
除菌ランプ２は、流体を除菌する光を放出するランプである。好ましくは、除菌ランプ２は、紫外線を放出する蛍光灯である。除菌ランプ２は、紫外線を放出するＬＥＤ（Light  Emitting  Diode）であってもよい。すなわち、除菌ランプ２は、流体を除菌するランプであれば特に限定されない。
【００３３】
除菌ランプ２は、本体部１の内部に配置されている。具体的には、除菌ランプ２は、除菌ランプ保護管１２の内部に挿入されている。除菌ランプ２は、本体部１の中心軸線Ａ１に平行な方向に延伸している形状を有している。除菌ランプ２の端部は、ソケット、電装部品が取り付けられた電装部２１となっている。
【００３４】
第１の蓋部材３ａは、内側面３１と、外側面３２と、外周面３３とを有している。内側面３１は、本体部１に挿入される側の面である。外側面３２は、内側面３１の反対側の面である。外周面３３に、入水部３３ａが設けられている。入水部３３ａは、内部が中空の筒状形状を有している。具体的には、入水部３３ａの内部は、入水側接続口３３ｂとなっている。
【００３５】
第１の蓋部材３ａの内側面３１側は、先端部３４となっている。先端部３４は、本体部１の内径に略等しい外径を有している。第１の蓋部材３ａは、先端部３４が本体部１の開口部１ｂに挿入されることにより、開口部１ｂに配置されている。先端部３４と本体部１の端部１ａとの間には、シール部材３５が配置されている。シール部材３５は、例えば、Оリングである。これにより、開口部１ｂが閉じられ、除菌対象となる流体が本体部１から流出することが防止されている。
【００３６】
第１の蓋部材３ａの内部に、キャビティ３６が設けられている。キャビティ３６は、先端部３４よりも外側面３２側に位置している。キャビティ３６は、第１の蓋部材３ａの内側面３１側に開口している。これにより、キャビティ３６は、流路１１と連通している。キャビティ３６の内径は、流出防止管１３の外径よりも大きい。その結果、キャビティ３６の内壁３６ａと流出防止管１３の外周面との間に、空間が形成されている。そのため、入水側接続口３３ｂに注水された除菌対象となる流体は、キャビティ３６を介して本体部１の内部に設けられた流路１１に流れる。
【００３７】
第１の蓋部材３ａの外側面３２側には、ランプ挿入穴３７が設けられている。ランプ挿入穴３７は、キャビティ３６と連通している。ランプ挿入穴３７の内径は、流出防止管１３の外径と略等しい。ランプ挿入穴３７から、除菌ランプ保護管１２の内部に除菌ランプ２が挿入される。
【００３８】
ランプ挿入穴３７には、流出防止管１３の端部が挿入されている。第１の蓋部材３ａと流出防止管１３の外周面の間には、シール部材３８が配置されている。より具体的には、ランプ挿入穴３７の内周面と流出防止管１３の外周面との間に、シール部材３８が配置されている。シール部材３８は、例えば、Ｏリングである。これにより、第１の蓋部材３ａと流出防止管１３の外周面とが水密に封止されている。すなわち、第１の蓋部材３ａから除菌対象となる流体が流出することが防止されている。
【００３９】
実施形態１に係る除菌装置は、流出防止管固定蓋１４を有していてもよい。流出防止管固定蓋１４は、ランプ挿入穴３７に挿入されている。流出防止管固定蓋１４の一部は、流出防止管１３の端部に挿入されている。流出防止管固定蓋１４における流出防止管１３の端部に挿入されている部分は、流出防止管１３の内周面に接している。これにより、流出防止管固定蓋１４は、流出防止管１３の内周面を保持している。
【００４０】
第２の蓋部材３ｂは、入水部３３ａ及び入水側接続口３３ｂに代えて出水部３３ｄ及び出水側接続口３３ｅを有している点を除き、第１の第１の蓋部材３ａと同様の構成を有している。好ましくは、第２の蓋部材３ｂは、第１の蓋部材３ａと同一形状を有している。
【００４１】
第１の第１の蓋部材３ａ及び第２の蓋部材３ｂには、例えば、樹脂材料が用いられている。この樹脂材料は、例えばＳＰＳ（シンジオタクチックポリスチレン）である。
【００４２】
第１の蓋部材３ａの外側面３２上には、ランプ固定部材２２が設けられている。ランプ固定部材２２により、第１の蓋部材３ａのランプ挿入穴３７を通して除菌ランプ保護管１２の内部に設置された除菌ランプ２が固定されている。ランプ固定部材２２は、例えばビス等により、第１の蓋部材３ａの外側面３２上に固定されている。ランプ固定部材２２には、例えばＳＰＳ等が用いられる。
【００４３】
固定部材４は、本体部１の中心軸線方向から、第１の蓋部材３ａ及び第２の蓋部材３ｂと本体部１とを挟持するように配置されている。これにより、第１の蓋部材３ａ及び第２の蓋部材３ｂは、本体部１に固定されている。固定部材４は、中央部４１と、固定部４２とを有している。中央部４１は、固定部材４の中央に位置し、本体部１の中心軸線方向に沿って延在している。固定部４２は、第１の蓋部材３ａ及び第２の蓋部材３ｂの外側面３２にビス等で固定されている。
【００４４】
固定部材４は、例えば、一枚の板状の部材に対して、プレス金型を用いた曲げ加工を行うことにより形成される。固定部材４には、例えばＳＧＣＣ（溶融亜鉛めっき鋼板）が用いられる。
【００４５】
以下に、実施形態に係る除菌装置の動作について説明する。実施形態に係る除菌装置の入水側接続口３３ｂには、除菌対象となる流体が供給される。この供給された除菌対象となる流体は、本体部１の内部に設けられた流路１１を流れる。
【００４６】
除菌対象となる流体が流路１１を流れている間、除菌対象となる流体には、除菌ランプ２から紫外線が照射される。これにより、除菌対象となる流体中に含まれる雑菌が除菌される。その後、流路１１内で除菌された流体は、出水側接続口３３ｅから流れ出る。以上によって、除菌対象となる流体が実施形態に係る除菌装置を通過することにより、除菌処理が行われる。
【００４７】
以下に、実施形態１に係る除菌装置の効果について説明する。実施形態１に係る除菌装置は、本体部１の内部に配置される流出防止管１３を有している。流出防止管１３には、除菌ランプ保護管１２が挿入されている。そのため、除菌ランプ保護管１２が破損した場合に、除菌ランプ保護管１２の破片等が本体部１の内部の流路１１を流れる除菌対象となる流体に混入することを抑制できる。
【００４８】
図３に示すように、実施形態１に係る除菌装置においては、流出防止管１３の厚さＴが薄い場合に、流路１１を流れる除菌対象となる流体の圧力により、流出防止管１３が変形する場合がある。このような変形が生じると、流出防止管１３と蓋部材３との間の封止部分における水密性の維持が困難となる。
【００４９】
しかしながら、実施形態１に係る除菌装置が、流出防止管固定蓋１４を有する場合、流出防止管固定蓋１４が流出防止管１３の内周面を支持する。そのため、この場合には、図４に示すように、流出防止管１３と蓋部材３との間の封止部分の近傍においては、流出防止管１３が変形しにくい。その結果、この場合には、流出防止管１３の厚さＴが薄い場合であっても、流出防止管１３と蓋部材３との間の封止部分の水密性を確保することができる。すなわち、この場合には、除菌ランプ保護管の破片等が、除菌対象となる流体へ混入してしまうことをさらに抑制することが可能となる。
【００５０】
実施形態１に係る除菌装置において、流路１１内に除菌対象となる流体が流れている際には、流路１１内を流れる除菌対象となる流体の圧力により、図５に示すように、流出防止管１３が変形する。
【００５１】
実施形態１に係る除菌装置において、流路１１内に除菌対象となる流体が流れている際に、流出防止管１３の内周面が、除菌ランプ保護管１２の外周面と接触する位置に配置されている場合、流路１１内を流れる除菌対象となる流体の圧力は、流出防止管１３と除菌ランプ保護管１２とに分散する。また、流路１１内に負圧が生じた場合、流出防止管１３のみがその負圧を受け、除菌ランプ保護管１２がその負圧を受けない。そのため、この場合には、流出防止管１３に対する経年的な圧力変化による損傷を抑制することが可能となる。
【００５２】
実施形態１に係る除菌装置において、流出防止管１３の厚さＴが、除菌ランプ２から照射される光に対する透過率が７０％以上となるような厚さである場合（例えば、０．３ｍｍ以上０．５ｍｍ以下である場合）、除菌対象となる流体に対する除菌効果を維持しながら、除菌ランプ保護管１２の破片等が、除菌対象となる流体へ混入してしまうことを抑制することが可能となる。
【００５３】
（実施形態２）
以下に、実施形態２に係る除菌装置について、図６及び図７を参照して説明する。ここでは、実施形態１に係る除菌装置と異なる点について主に説明し、重複する点については説明を繰り返さない。
【００５４】
以下に、実施形態２に係る除菌装置の構成について説明する。図６及び図７に示すように、実施形態２に係る除菌装置は、本体部１と、除菌ランプ２と、蓋部材３とを有している。蓋部材３は、一対となる第１の蓋部材３ａと、第２の蓋部材３ｂとから構成されている。実施形態２に係る除菌装置は、固定部材４をさらに有していてもよい。
【００５５】
実施形態２に係る除菌装置は、除菌ランプ保護管１２と、流出防止管１３とを有している。除菌ランプ保護管１２は、流出防止管１３よりも長さが長いことが好ましい。
【００５６】
実施形態２に係る除菌装置においては、ランプ挿入穴３７の内径は、除菌ランプ保護管１２の外径と略等しい。ランプ挿入穴３７には、除菌ランプ保護管１２の端部が挿入されている。第１の蓋部材３ａと除菌ランプ保護管１２の外周面の間には、シール部材３８が配置されている。
【００５７】
より具体的には、ランプ挿入穴３７の内周面と除菌ランプ保護管１２の外周面との間には、シール部材３８が配置されている。これにより、第１の蓋部材３ａと除菌ランプ保護管１２の外周面とが水密に封止されている。すなわち、第１の蓋部材３ａから除菌対象となる流体が流出することが防止されている。
【００５８】
このことを別の観点からいえば、実施形態２に係る除菌装置においては、本体部１の内部において、流出防止管１３の位置が固定されていない。
【００５９】
実施形態２に係る除菌装置においては、第１の蓋部材３ａは、リブ３９を有していてもよい。リブ３９は、キャビティ３６の内壁３６ａと流出防止管１３の外周面との間に配置されている。リブ３９は、流出防止管１３の外周面に沿って、本体部１の側に向かって延在している。このことを別の観点からいえば、リブ３９は、流出防止管１３の外周面を取り囲むように配置されている。
【００６０】
以下に、実施形態２に係る除菌装置の効果について説明する。実施形態２に係る除菌装置は、本体部１の内部に配置される流出防止管１３を有している。流出防止管１３には、除菌ランプ保護管１２が挿入されている。そのため、除菌ランプ保護管１２が破損した場合に、除菌ランプ保護管１２の破片等が本体部１の内部の流路１１を流れる除菌対象となる流体に混入することを抑制できる。
【００６１】
また、実施形態２に係る除菌装置においては、本体部１の内部において、流出防止管１３の位置が、固定されていない。すなわち、流出防止管１３は、流路１１を流れる除菌対象となる流体の圧力から解放されている。そのため、実施形態２に係る除菌装置においては、流路１１を流れる除菌対象となる流体の圧力から生じる変形により、流出防止管１３が損傷（例えば、流出防止管１３に本体部１の中心軸線方向に沿ったしわの発生等）してしまうことを抑制することができる。
【００６２】
実施形態２に係る除菌装置において、蓋部材３がリブ３９を有している場合、流出防止管１３の本体部１の中心軸線に垂直な方向における移動が規制される。そのため、この場合には、除菌ランプ保護管１２の破片等が、除菌対象となる流体へ混入してしまうことをさらに抑制することが可能となる。
【００６３】
（実施形態３）
以下に、実施形態３に係る温水装置の一例としての給湯装置の構成について、図８を参照して説明する。実施形態３に係る温水装置は、給湯経路５１と、風呂循環経路５２と、注湯経路５３とを有している。
【００６４】
給湯経路５１は、上水を加熱する経路である。給湯経路５１は、配管５１ａと、配管５１ｂと、熱交換器５１ｃとを有している。配管５１ａの一方端は、上水道に接続されている。配管５１ａの他方端は、熱交換器５１ｃの一方端に接続されている。熱交換器５１ｃの他方端は、配管５１ｂの一方端に接続されている。配管５１ｂの他方端は、カラン等に接続されている。熱交換器５１ｃの近傍には、バーナ５１ｄが配置されている。
【００６５】
風呂循環経路５２は、浴槽６中の湯水を加熱する経路である。風呂循環経路５２は、配管５２ａと、配管５２ｂと、配管５２ｃと、除菌装置５２ｄと、熱交換器５２ｅとを有している。除菌装置５２ｄは、上記の実施形態１及び実施形態２に係る除菌装置である。
【００６６】
配管５２ａの一方端は、除菌装置５２ｄの入水側接続口３３ｂに接続されている。配管５２ａの他方端は、循環アダプタ６１に接続されている。除菌装置５２ｄの出水側接続口３３ｅは、配管５２ｂの一方端に接続されている。配管５２ｂの他方端は、熱交換器５２ｅの一方端に接続されている。熱交換器５２ｅの他方端は、配管５２ｃの一方端に接続されている。配管５２ｃの他方端は、循環アダプタ６１に接続されている。熱交換器５２ｅの近傍には、バーナ５２ｆが配置されている。なお、配管５２ａ上には、循環ポンプ５２ｇが設けられている。なお、除菌装置５２ｄを給湯装置の筐体に取り付ける際には、固定部材４の中央部４１が取り付けのためのガイドとなる。
【００６７】
注湯経路５３は、給湯経路５１から風呂循環経路５２に湯水を流入させる経路である。注湯経路５３の一方端は、給湯経路５１に接続されている。より具体的には、注湯経路５３の一方端は、配管５１ｂに接続されている。注湯経路５３の他方端は、風呂循環経路５２に接続されている。より具体的には、注湯経路５３の他方端は、配管５２ａに接続されている。注湯経路５３上には、注湯弁５３ａが設けられている。
【００６８】
循環アダプタ６１は、浴槽６内に設けられている。循環アダプタ６１は、吐出口と吸込口とを有している。
【００６９】
以下に、実施形態に係る温水装置の一例としての給湯装置の動作について説明する。
まず、給湯動作について説明する。供給された上水は、配管５１ａを介して熱交換器５１ｃに供給される。熱交換器５１ｃに供給された上水は、熱交換器５１ｃにおいて加熱されて湯となる。この湯は、配管５１ｂを介してカラン等へ供給される。
【００７０】
次に、湯張り動作について説明する。供給された上水は、配管５１ａを介して熱交換器５１ｃに供給される。熱交換器５１ｃに供給された上水は、熱交換器５１ｃにおいて加熱されて湯となる。湯張り動作を行っている際には、注湯弁５３ａは開状態となっている。そのため、この湯は、注湯経路５３、配管５２ｃおよび循環アダプタ６１の吐出口を介して浴槽６に供給される。
【００７１】
さらに、除菌動作について説明する。循環ポンプ５２ｇにより、循環アダプタ６１の吸込口から、浴槽６の湯が図中の矢印の方向に吸い上げられる。この吸い上げられた湯は、配管５２ａを介し、除菌装置５２ｄに供給される。除菌装置５２ｄに供給された湯は、除菌装置５２ｄにおいて除菌される。この除菌された湯は、配管５２ｂ、熱交換器５２ｅ、配管５２ｃ、及び循環アダプタ６１の吐出口を介して、浴槽６に戻される。これにより、浴槽６内の湯の除菌が行われる。なお、除菌装置５２ｄにおいて除菌された湯は、熱交換器５２ｅにおいて昇温されてもよい。すなわち、除菌動作は、追い焚き動作中に行われてもよい。
【００７２】
以下に実施形態３に係る温水装置の効果について説明する。実施形態３に係る温水装置においては、除菌ランプ保護管１２の破片等が、除菌対象となる流体へ混入してしまうことを抑制することが可能となる。
【００７３】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００７４】
１  本体部、１ａ  端部、１ｂ  開口部、１１  流路、１２  除菌ランプ保護管、１３  流出防止管、１４  流出防止管固定蓋、２  除菌ランプ、２１  電装部、２２  ランプ固定部材、３  蓋部材、３ａ  第１の蓋部材、３ｂ  第２の蓋部材、６  浴槽、３１  内側面、３２  外側面、３３  外周面、３３ａ  入水部、３３ｂ  入水側接続口、３３ｄ  出水部、３３ｅ  出水側接続口、３４  先端部、３５，３８  シール部材、３６  キャビティ、３６ａ  内壁、３７  ランプ挿入穴、３９  リブ、４  固定部材、４１  中央部、４２  固定部、５１  給湯経路、５１ａ，５１ｂ，５２ａ，５２ｂ，５２ｃ  配管、５１ｃ，５２ｅ  熱交換器、５１ｄ，５２ｆ  バーナ、５２  風呂循環経路、５２ｄ  除菌装置、５２ｇ  循環ポンプ、５３  注湯経路、５３ａ  注湯弁、６１  循環アダプタ、Ａ１  中心軸線、Ｄ  間隔、Ｔ  厚さ。
【図１】
0006724596.tif 000002
【図２】
0006724596.tif 000003
【図３】
0006724596.tif 000004
【図４】
0006724596.tif 000005
【図５】
0006724596.tif 000006
【図６】
0006724596.tif 000007
【図７】
0006724596.tif 000008
【図８】
0006724596.tif 000009